(57)【要約】【課題】被写体ごとの撮影枚数に偏りが出るのを防止できる撮影端末等を提供する。【解決手段】撮影端末５は、撮影手段１０と、異なる被写体をそれぞれ含む複数の基本画像の登録を受付ける登録受付手段１１と、基本画像を解析装置３に送信する基本画像送信手段１３と、撮影手段１０によって撮影された撮影画像を解析装置３に送信する撮影画像送信手段１４と、複数の撮影画像における被写体の登場回数を被写体ごとに求めた解析結果を解析装置３から受信して表示する表示手段１６と、を有する。【選択図】図５
2020057982.tif 000002
【特許請求の範囲】
【請求項１】
撮影手段を有する撮影端末であって、
異なる被写体をそれぞれ含む複数の基本画像の登録を受付ける登録受付手段と、
前記撮影手段によって撮影された複数の撮影画像における前記被写体の登場回数を前記被写体ごとに求めた解析結果を表示する表示手段と、
を有することを特徴とする撮影端末。
【請求項２】
前記基本画像を解析装置に送信する基本画像送信手段と、
前記撮影画像を前記解析装置に送信する撮影画像送信手段と、
を更に有し、
前記表示手段は、前記解析結果を前記解析装置から受信して表示することを特徴とする請求項１記載の撮影端末。
【請求項３】
前記解析装置において前記撮影画像を記録するフォルダを作成するため、フォルダ名の設定を受付ける設定受付手段と、
前記撮影画像を前記フォルダに記録するため、前記フォルダ名の指定を受付ける指定受付手段と、
を更に有し、
前記表示手段は、前記フォルダ内の複数の前記撮影画像について求めた前記解析結果を表示することを特徴とする請求項２記載の撮影端末。
【請求項４】
異なる被写体をそれぞれ含む複数の基本画像を記録する記録手段と、
撮影端末で撮影された撮影画像を前記撮影端末から受信する受信手段と、
複数の前記撮影画像について、前記被写体の登場回数を前記被写体ごとに求める解析手段と、
前記被写体の登場回数を前記被写体ごとに求めた解析結果を前記撮影端末に送信する解析結果送信手段と、
を有することを特徴とする解析装置。
【請求項５】
前記受信手段は、前記撮影画像を複数の前記撮影端末から受信し、
前記記録手段は、複数の前記撮影端末から受信した複数の前記撮影画像を同じフォルダに記録し、
前記解析手段は、前記フォルダ内の複数の前記撮影画像について、前記被写体の登場回数を前記被写体ごとに求めることを特徴とする請求項４記載の解析装置。
【請求項６】
撮影手段を有する撮影端末と解析装置を具備する撮影システムであって、
前記撮影端末は、
異なる被写体をそれぞれ含む複数の基本画像の登録を受付ける登録受付手段と、
前記基本画像を前記解析装置に送信する基本画像送信手段と、
前記撮影手段によって撮影された撮影画像を前記解析装置に送信する撮影画像送信手段と、
複数の前記撮影画像における前記被写体の登場回数を前記被写体ごとに求めた解析結果を前記解析装置から受信して表示する表示手段と、
を有することを特徴とする撮影システム。
【請求項７】
撮影端末が、
異なる被写体をそれぞれ含む複数の基本画像の登録を受付けるステップと、
撮影手段により撮影を行うステップと、
前記撮影手段によって撮影された複数の撮影画像における前記被写体の登場回数を前記被写体ごとに求めた解析結果を表示するステップと、
を実行することを特徴とする撮影方法。
【請求項８】
撮影手段を有する撮影端末を、
異なる被写体をそれぞれ含む複数の基本画像の登録を受付ける登録受付手段と、
前記撮影手段によって撮影された複数の撮影画像における前記被写体の登場回数を前記被写体ごとに求めた解析結果を表示する表示手段と、
を有する撮影端末として機能させるためのプログラム。
【請求項９】
コンピュータを、
異なる被写体をそれぞれ含む複数の基本画像を記録する記録手段と、
撮影端末で撮影された撮影画像を前記撮影端末から受信する受信手段と、
複数の前記撮影画像について、前記被写体の登場回数を前記被写体ごとに求める解析手段と、
前記被写体の登場回数を前記被写体ごとに求めた解析結果を前記撮影端末に送信する解析結果送信手段と、
を有する解析装置として機能させるためのプログラム。
【発明の詳細な説明】
【技術分野】
【０００１】
本発明は、画像を撮影する撮影端末、撮影端末で撮影した画像の解析を行う解析装置、撮影システム、撮影方法、プログラム等に関する。
【背景技術】
【０００２】
各種のイベントの記念として参加者の写真を携帯端末で撮影することは多く行われており、例えば特許文献１には、結婚披露宴などのイベントにおいて携帯端末で撮影された画像をプリントするシステムが記載されている。
【先行技術文献】
【特許文献】
【０００３】
【特許文献１】特開2017-005590号公報
【発明の概要】
【発明が解決しようとする課題】
【０００４】
上記のようなイベントでは、撮影者が撮影した参加者の写真や当該写真から作成したアルバムを後日参加者等に提供するケースがある。しかしながら、イベントの参加者が多いと参加者ごとの撮影枚数に偏りが生じやすい。その結果、ほとんど写っていない参加者が発生するという好ましくない事態が起こることがあり、撮影終了後に写真を確認してそのような参加者が見つかっても撮り直しをすることは難しい。
【０００５】
本発明は上記の課題に鑑みてなされたものであり、その目的は、被写体ごとの撮影枚数に偏りが出るのを防止できる撮影端末等を提供することである。
【課題を解決するための手段】
【０００６】
前述した課題を解決するための第１の発明は、撮影手段を有する撮影端末であって、異なる被写体をそれぞれ含む複数の基本画像の登録を受付ける登録受付手段と、前記撮影手段によって撮影された複数の撮影画像における前記被写体の登場回数を前記被写体ごとに求めた解析結果を表示する表示手段と、を有することを特徴とする撮影端末である。
【０００７】
本発明の撮影端末では、予め被写体の基本画像を登録したうえで、撮影端末で撮影された撮影画像に各被写体が何回登場するかを求めた解析結果を表示させることができる。撮影者は、撮影中のリアルタイムの解析結果を撮影端末に表示させ、現時点での各被写体の登場回数に偏りが無いかを確認し、各被写体をバランスよく撮影して被写体ごとの撮影枚数に偏りが出るのを防止することが可能になる。
【０００８】
前記撮影端末は、例えば前記基本画像を解析装置に送信する基本画像送信手段と、前記撮影画像を前記解析装置に送信する撮影画像送信手段と、を更に有し、前記表示手段は、前記解析結果を前記解析装置から受信して表示する。
撮影端末は、例えばサーバなどの解析装置に前記の解析を実行させることができる。この場合、基本画像と撮影画像は解析装置に送信し、解析結果は解析装置から受信して表示する。
【０００９】
前記解析装置において前記撮影画像を記録するフォルダを作成するため、フォルダ名の設定を受付ける設定受付手段と、前記撮影画像を前記フォルダに記録するため、前記フォルダ名の指定を受付ける指定受付手段と、を更に有し、前記表示手段は、前記フォルダ内の複数の前記撮影画像について求めた前記解析結果を表示することが望ましい。
本発明では、予め撮影端末からフォルダ名を設定して画像記録用のフォルダを作成しておき、撮影を行う際に撮影画像の記録先のフォルダの指定を行うことで、複数の撮影端末で撮影した複数の撮影画像を同じフォルダに記録してグループ化することができ、これらの撮影画像をまとめて解析対象とできる。そのため解析結果である被写体の登場回数を複数の撮影者で共有でき、イベント等において複数の撮影者が撮影を行っている場合に特に有効である。
【００１０】
第２の発明は、異なる被写体をそれぞれ含む複数の基本画像を記録する記録手段と、撮影端末で撮影された撮影画像を前記撮影端末から受信する受信手段と、複数の前記撮影画像について、前記被写体の登場回数を前記被写体ごとに求める解析手段と、前記被写体の登場回数を前記被写体ごとに求めた解析結果を前記撮影端末に送信する解析結果送信手段と、を有することを特徴とする解析装置である。
【００１１】
前記受信手段は、前記撮影画像を複数の前記撮影端末から受信し、前記記録手段は、複数の前記撮影端末から受信した複数の前記撮影画像を同じフォルダに記録し、前記解析手段は、前記フォルダ内の複数の前記撮影画像について、前記被写体の登場回数を前記被写体ごとに求めることが望ましい。
【００１２】
第３の発明は、撮影手段を有する撮影端末と解析装置を具備する撮影システムであって、前記撮影端末は、異なる被写体をそれぞれ含む複数の基本画像の登録を受付ける登録受付手段と、前記基本画像を前記解析装置に送信する基本画像送信手段と、前記撮影手段によって撮影された撮影画像を前記解析装置に送信する撮影画像送信手段と、複数の前記撮影画像における前記被写体の登場回数を前記被写体ごとに求めた解析結果を前記解析装置から受信して表示する表示手段と、を有することを特徴とする撮影システムである。
【００１３】
第４の発明は、撮影端末が、異なる被写体をそれぞれ含む複数の基本画像の登録を受付けるステップと、撮影手段により撮影を行うステップと、前記撮影手段によって撮影された複数の撮影画像における前記被写体の登場回数を前記被写体ごとに求めた解析結果を表示するステップと、を実行することを特徴とする撮影方法である。
【００１４】
第５の発明は、撮影手段を有する撮影端末を、異なる被写体をそれぞれ含む複数の基本画像の登録を受付ける登録受付手段と、前記撮影手段によって撮影された複数の撮影画像における前記被写体の登場回数を前記被写体ごとに求めた解析結果を表示する表示手段と、を有する撮影端末として機能させるためのプログラムである。
【００１５】
第６の発明は、コンピュータを、異なる被写体をそれぞれ含む複数の基本画像を記録する記録手段と、撮影端末で撮影された撮影画像を前記撮影端末から受信する受信手段と、複数の前記撮影画像について、前記被写体の登場回数を前記被写体ごとに求める解析手段と、前記被写体の登場回数を前記被写体ごとに求めた解析結果を前記撮影端末に送信する解析結果送信手段と、を有する解析装置として機能させるためのプログラムである。
【発明の効果】
【００１６】
本発明により、被写体ごとの撮影枚数に偏りが出るのを防止できる撮影端末等を提供することができる。
【図面の簡単な説明】
【００１７】
【図１】撮影システム１を示す図。
【図２】解析装置３のハードウェア構成を示す図。
【図３】撮影端末５のハードウェア構成を示す図。
【図４】撮影画像１００と解析データ２００を示す図。
【図５】撮影システム１の機能構成を示す図。
【図６】基本画像２０２の登録時の流れについて示すフローチャート。
【図７】被写体の撮影時の流れについて示すフローチャート。
【図８】撮影端末５の表示部５３に表示される画面の例。
【発明を実施するための形態】
【００１８】
以下、図面に基づいて本発明の好適な実施形態について詳細に説明する。
【００１９】
（１．撮影システム１）
図１は、本発明の実施形態に係る撮影システム１を示す図である。図１に示すように、撮影システム１は解析装置３と複数の撮影端末５とがネットワークを介して接続された構成を有する。
【００２０】
解析装置３は、撮影端末５で撮影された撮影画像を撮影端末５から受信し、被写体の登場回数についての解析を行うものである。解析の詳細については後述する。
【００２１】
図２は解析装置３のハードウェア構成を示す図である。図２に示すように、解析装置３は、制御部３１、記憶部３２、表示部３３、入力部３４、通信部３５等をバス等により接続して構成されたサーバコンピュータなどにより実現できる。ただしこれに限ることは無く、適宜様々な構成をとることができる。
【００２２】
制御部３１はCPU、ROM、RAMなどから構成される。CPUは、記憶部３２、ROMなどの記憶媒体に格納されたプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部３２、ROMなどからロードしたプログラムやデータを一時的に保持するとともに、制御部３１が各種処理を行うために使用するワークエリアを備える。
【００２３】
記憶部３２はハードディスクドライブやソリッドステートドライブ等であり、後述する処理に際し解析装置３が実行するプログラム、プログラム実行に必要なデータ、OSなどが格納される。これらのプログラムやデータを制御部３１により読み出して実行し、解析装置３の各部を制御することで後述する処理が行われる。
【００２４】
表示部３３は液晶ディスプレイ等を備える。
入力部３４は解析装置３に各種の設定入力を行うものである。
通信部３５は無線通信を媒介する通信インタフェースであり、撮影端末５との間で通信を行う。
【００２５】
撮影端末５は撮影者が撮影に用いる端末である。撮影端末５としては、例えばスマートフォン、タブレット端末などのカメラ付きの携帯端末を用いることが可能である。撮影者は例えば結婚披露宴や学校遠足などのイベントの参加者や専門の撮影業者等である。
【００２６】
図３は撮影端末５のハードウェア構成を示す図である。図３に示すように、撮影端末５は制御部５１、記憶部５２、表示部５３、入力部５４、通信部５５、カメラ５６、音声入出力部５７等をバス等により接続して構成される。但し、撮影端末５はこれに限ることなく適宜様々な構成をとることができる。
【００２７】
制御部５１、記憶部５２、通信部５５は上述した制御部３１、記憶部３２、通信部３５と略同様である。また表示部５３は液晶パネル等のディスプレイ装置を有し、入力部５４としてのタッチパネルが設けられている。音声入出力部５７はマイクやスピーカ等である。記憶部５２には撮影端末５の後述する処理を行うためのプログラム等が格納されている。
【００２８】
図１に示すように、解析装置３は、撮影画像１００を記録する撮影画像ＤＢ（データベース）３０と解析データ２００を記録する解析ＤＢ４０を有する。
【００２９】
図４（ａ）は撮影画像ＤＢ３０内の撮影画像１００を示す図である。図４（ａ）に示すように、各撮影端末５で撮影された撮影画像１００は、撮影画像ＤＢ３０内の指定されたフォルダに記録される。
【００３０】
図４（ｂ）は解析ＤＢ４０内の解析データ２００を示す図である。図４（ｂ）に示すように、解析データ２００は、フォルダ名２０１、基本画像２０２、登場回数２０３等の情報を有する。
【００３１】
フォルダ名２０１は、撮影端末５で撮影した撮影画像１００が記録される撮影画像ＤＢ３０内のフォルダのフォルダ名である。
【００３２】
基本画像２０２は、上記フォルダ内の撮影画像１００の解析を行うために用いられる被写体の画像である。本実施形態では、異なる複数の被写体について、それぞれの基本画像２０２が記録される。本実施形態では被写体をイベントの参加者（人物）とし、図４（ｃ）に示すように基本画像２０２は各人物の顔画像を含むものとする。
【００３３】
登場回数２０３は、上記フォルダ内の撮影画像１００の解析結果である。すなわち本実施形態では、上記フォルダ内の複数の撮影画像１００において各基本画像２０２の被写体が計何回登場するか（被写体が含まれる撮影画像１００の枚数）が被写体ごとに求められ、登場回数２０３として記録される。
【００３４】
図５は撮影システム１の機能構成を示す図である。図５に示すように、撮影システム１において、撮影端末５は撮影手段１０、登録受付手段１１、設定受付手段１２、基本画像送信手段１３、撮影画像送信手段１４、指定受付手段１５、表示手段１６を有し、解析装置３は記録手段１７、受信手段１８、解析手段１９、解析結果送信手段２０を有する。
【００３５】
撮影手段１０は撮影端末５のカメラ５６に対応し、画像を撮影するものである。
【００３６】
登録受付手段１１は、撮影端末５の制御部５１が、複数の基本画像２０２の登録を受付けるものである。この複数の基本画像２０２は、異なる被写体をそれぞれ含んでいる。
【００３７】
設定受付手段１２は、解析装置３の撮影画像ＤＢ３０においてフォルダを新たに作成するため、撮影端末５の制御部５１がフォルダ名２０１の設定を受付けるものである。
【００３８】
基本画像送信手段１３は、撮影端末５が通信部５５を介して基本画像２０２を解析装置３に送信するものである。
【００３９】
撮影画像送信手段１４は、撮影端末５が通信部５５を介して撮影画像１００を解析装置３に送信するものである。
【００４０】
指定受付手段１５は、撮影画像１００を解析装置３の撮影画像ＤＢ３０内のフォルダに記録するため、撮影端末５の制御部５１が当該フォルダのフォルダ名２０１の指定を受付けるものである。
【００４１】
表示手段１６は、前記した解析データ２００の各基本画像２０２の被写体の登場回数２０３を撮影端末５の表示部５３に表示するものである。
【００４２】
記録手段１７は、解析装置３の撮影画像ＤＢ３０や解析ＤＢ４０に撮影画像１００や基本画像２０２を記録するものである。撮影画像１００については、複数の撮影端末５から受信して同じフォルダに記録する。このフォルダは、いずれかの撮影端末５によりフォルダ名２０１の設定が行われたものである。
【００４３】
受信手段１８は、解析装置３が通信部３５を介して撮影端末５から撮影画像１００を受信するものである。上記のように、撮影画像１００は複数の撮影端末５から受信する。
【００４４】
解析手段１９は、解析装置３の制御部３１が、上記フォルダ内の複数の撮影画像１００について、各基本画像２０２の被写体の登場回数２０３を被写体ごとに求めるものである。
【００４５】
解析結果送信手段２０は、解析手段１９で求めた被写体ごとの登場回数２０３（解析結果）を解析装置３が通信部３５を介して撮影端末５に送信するものである。
【００４６】
（２．撮影システム１における処理）
次に、図６、７等を参照して撮影システム１における処理について説明する。撮影システム１の処理は、基本画像２０２の登録時と撮影画像１００の撮影時に大きく分けることができ、以下ではそれぞれの手順について説明する。
【００４７】
（２−１．基本画像２０２の登録）
図６は基本画像２０２の登録時の流れについて示すフローチャートである。図６のＳ１０１〜Ｓ１０３は撮影端末５の制御部５１が実行する処理であり、Ｓ１０４〜Ｓ１０６の処理は解析装置３の制御部３１が実行する処理である。
【００４８】
本実施形態では、まず撮影者が撮影端末５を操作してアプリケーションの立ち上げを行い、アプリケーション上の設定登録画面（不図示）において、解析対象の撮影画像１００が記録されるフォルダのフォルダ名２０１の設定と、解析に用いる基本画像２０２の登録を行う。本実施形態では基本画像２０２が複数登録され、それぞれ異なる被写体を含む。また、登録される基本画像２０２は予め撮影端末５の記憶部５２に格納されているものである。
【００４９】
撮影端末５は、フォルダ名２０１の設定と基本画像２０２の登録を受付け（Ｓ１０１、Ｓ１０２）、設定されたフォルダ名２０１と登録された基本画像２０２を解析装置３に送信する（Ｓ１０３）。
【００５０】
解析装置３は、撮影端末５からフォルダ名２０１と基本画像２０２を受信すると（Ｓ１０４）、当該フォルダ名２０１のフォルダを撮影画像ＤＢ３０内に作成する（Ｓ１０５）。なお、この時点ではフォルダ内に撮影画像１００はまだ記録されていない。
【００５１】
解析装置３は、また、フォルダ名２０１、基本画像２０２、および登場回数２０３を紐付けた解析データ２００を作成し、解析ＤＢ４０に記録する（Ｓ１０６）。フォルダ名２０１と基本画像２０２はＳ１０４で受信したものであり、登場回数２０３には初期値（「０」）が記録される。
【００５２】
（２−２．被写体の撮影）
以上の操作を行った後、撮影者は、撮影端末５を用いて被写体の撮影を行う。図７は被写体の撮影時の流れについて示すフローチャートであり、Ｓ２０１〜Ｓ２０３、Ｓ２０７〜Ｓ２０８、Ｓ２１１〜Ｓ２１３は撮影端末５の制御部５１が実行する処理である。その他の処理は解析装置３の制御部３１が実行する。
【００５３】
撮影者は、被写体の撮影時、前記と同様、撮影端末５を操作してアプリケーションを立ち上げ、アプリケーション上の指定画面（不図示）で撮影画像１００を記録するフォルダのフォルダ名２０１を指定する。撮影端末５はフォルダ名２０１の指定を受付ける（Ｓ２０１）。ここで指定するフォルダ名２０１は、先程のＳ１０１（図６参照）で設定されたフォルダ名２０１である。
【００５４】
その後、撮影端末５は撮影者の操作に応じてカメラ５６により被写体を撮影する。撮影端末５は、カメラ５６による撮影が行われると（Ｓ２０２；ＹＥＳ）、その撮影画像１００とＳ２０１で指定されたフォルダ名２０１（以下、撮影画像１００等という）を解析装置３に送信する（Ｓ２０３）。解析装置３は、撮影画像１００等を受信する（Ｓ２０４）と、撮影画像１００を上記フォルダ名２０１のフォルダに記録する（Ｓ２０５）。なおＳ２０２においてＮＯの場合は後述するＳ２０７の処理に移行する。
【００５５】
本実施形態では、複数の撮影者が個々の撮影端末５を用いてＳ２０１〜Ｓ２０５の手順により撮影および撮影画像１００の記録を行っており、解析装置３はこれら複数の撮影端末５から受信した複数の撮影画像１００を、前記のＳ１０１（図６参照）でフォルダ名２０１が設定された同じフォルダに記録する。
【００５６】
解析装置３は、撮影画像１００を上記フォルダに記録するごとに、当該フォルダのフォルダ名２０１に対応する解析データ２００の登場回数２０３の更新を行う（Ｓ２０６）。
【００５７】
Ｓ２０６では、フォルダに新たに記録した撮影画像１００を、当該フォルダのフォルダ名２０１に対応する基本画像２０２のそれぞれと比較し、撮影画像１００に基本画像２０２の被写体が含まれると判別された場合には、その基本画像２０２に対応する登場回数２０３を１インクリメントして更新する。被写体が含まれるか否かの判別は、既知の顔照合（顔認証）技術を用いて行うことができる。
【００５８】
本実施形態では、以上の処理により、上記フォルダ内の撮影画像１００における被写体の登場回数２０３が被写体ごとに求められる。この登場回数２０３は、解析結果として撮影端末５の表示部５３に随時表示することができ、以下その流れについて説明する。
【００５９】
ここで、図８（ａ）は撮影端末５の表示部５３に表示されるカメラロール画面を示す図であり、本実施形態では撮影者が撮影端末５で撮影した撮影画像１００がサムネイル表示されるとともに、上記解析結果を表示するための解析ボタン５０１が表示される。
【００６０】
撮影者は撮影端末５の操作により上記のカメラロール画面を表示し、解析ボタン５０１を選択する。撮影端末５は、解析ボタン５０１が選択されると（Ｓ２０７；ＹＥＳ）、解析結果要求を解析装置３に送信する（Ｓ２０８）。この解析結果要求には、Ｓ２０１で指定されたフォルダ名２０１が含まれる。なおＳ２０７においてＮＯの場合は後述するＳ２１３の処理に移行する。
【００６１】
解析装置３は、解析結果要求を受信する（Ｓ２０９）と、上記のフォルダ名２０１に対応する解析データ２００を参照し、解析結果要求を受信した時点での各基本画像２０２の被写体の登場回数２０３を解析結果として撮影端末５に送信する（Ｓ２１０）。被写体の登場回数２０３は解析結果表示画面のデータとして撮影端末５に送信され、撮影端末５はこれを受信して（Ｓ２１１）、表示部５３に表示する（Ｓ２１２）。
【００６２】
図８（ｂ）は解析結果表示画面の例である。本実施形態では、解析結果表示画面として、各基本画像２０２の被写体の登場回数２０３が棒グラフとして表示され、被写体ごとの登場回数２０３に偏りが無いかを目で見てすぐに判断できる。なお符号５０３はカメラロール画面に戻るための戻るボタンである。
【００６３】
以下、撮影者がアプリケーションを閉じるなどして撮影終了が選択されるまで（Ｓ２１３；ＮＯ）、Ｓ２０２〜Ｓ２１２の処理が行われ、撮影者によって撮影終了が選択されると（Ｓ２１３；ＹＥＳ）、処理を終了する。
【００６４】
以上説明したように、本実施形態の撮影端末５では、予め被写体の基本画像２０２を登録したうえで、撮影端末５で撮影された撮影画像１００に各被写体が何回登場するかを求めた解析結果を表示させることができる。撮影者は、撮影中のリアルタイムの解析結果を撮影端末５に表示させ、現時点での各被写体の登場回数に偏りが無いかを確認し、各被写体をバランスよく撮影して被写体ごとの撮影枚数に偏りが出るのを防止することが可能になる。
【００６５】
その他、基本画像２０２として写真を撮られたくない人物を登録しておけば、当該人物を撮影していないかリアルタイムに確認ができる。これにより、撮影してはいけない人物の撮影を極力回避することができ、仮に撮影していた場合には撮影画像ＤＢ３０から撮影画像１００を削除するなど適切な対処が行える。
【００６６】
上記の解析は、撮影端末５とは別途設けたサーバなどの解析装置３に実行させることができる。撮影端末５は撮影画像１００と基本画像２０２を解析装置３に送信し、解析結果は解析装置３から受信して表示する。
【００６７】
また本実施形態では予め撮影端末５からフォルダ名２０１を設定して画像記録用のフォルダを作成しておき、撮影を行う際に撮影画像１００の記録先のフォルダの指定を行うことで、複数の撮影端末５で撮影した撮影画像１００を同じフォルダに記録してグループ化することができ、複数の撮影端末５で撮影した撮影画像１００をまとめて解析できる。そのため解析結果である被写体の登場回数２０３をネットワーク上にて複数の撮影者でシェア（共有）でき、イベント等において複数の撮影者が撮影を行っている場合に特に有効である。
【００６８】
しかしながら、本発明はこれに限らない。例えば本実施形態では解析装置３で前記の解析を行っているが、撮影端末５にて前記の解析を行ってもよい。この場合、当該撮影端末５で撮影された撮影画像１００と解析データ２００は当該撮影端末５の記憶部５２に記録される。
【００６９】
また、本実施形態では撮影画像１００をフォルダに記録するごとに解析データ２００の登場回数２０３を更新しているが、撮影端末５から解析結果要求を受信するごとに登場回数２０３を求めてもよい。この場合、撮影端末５から解析結果要求を受信した時点でフォルダ内に記録されている複数の撮影画像１００を基本画像２０２のそれぞれと比較し、これらの撮影画像１００における各基本画像２０２の被写体の登場回数２０３を算出する。
【００７０】
また、解析結果表示画面も図８（ｂ）で説明したものに限らず、各基本画像２０２の被写体の登場回数２０３がわかるものであればよい。例えば登場回数２０３を数字のみで表示したり、円グラフなどとして表示したりすることも可能である。
【００７１】
また本実施形態では被写体として人物の撮影を行う例について説明したが、被写体は人物に限らない。例えば建築物や動物などでもよく、これらの基本画像２０２を前記と同様に登録すれば、前記の処理によりその登場回数２０３を求めることができる。
【００７２】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００７３】
１：撮影システム
３：解析装置
５：撮影端末
１０：撮影手段
１１：登録受付手段
１２：設定受付手段
１３：基本画像送信手段
１４：撮影画像送信手段
１５：指定受付手段
１６：表示手段
１７：記録手段
１８：受信手段
１９：解析手段
２０：解析結果送信手段
１００：撮影画像
２００：解析データ
２０１：フォルダ名
２０２：基本画像
２０３：登場回数
【図１】
2020057982.tif 000003
【図２】
2020057982.tif 000004
【図３】
2020057982.tif 000005
【図４】
2020057982.tif 000006
【図５】
2020057982.tif 000007
【図６】
2020057982.tif 000008
【図７】
2020057982.tif 000009
【図８】
2020057982.tif 000010